(57)【要約】【課題】個人ごとに電力の使用量を用いて異常が発生しているかどうかを判定し、異常が発生している場合は通知を行うこと。【解決手段】通信ネットワークを介してサーバと利用者宅側に設置されるクライアント端末が通信可能に接続されるシステムであり、サーバにおいて、利用者の日々の電力の使用状況をパターン化したデータと、利用者宅近辺に設置されるクライアント端末より受信される日々の電力の使用状況を受信し、データベースに保存する手段と、パターン化したデータとクライアント端末より受信して保存した電力使用量のデータを比較して差分を抽出する手段と、抽出した差分と予め定めた閾値データとを比較して閾値を越えた場合に異常発生検出と判定する手段と、異常発生が検出された時に予め定めた宛先に通知する手段とを備える。【選択図】図４
2007183890.tif 000002
【特許請求の範囲】
【請求項１】
通信ネットワークを介して個人の生活状況を監視する生活状況監視サーバとクライアント端末が通信可能に接続されている生活状況監視システムであって、
利用者の日々の電力の使用状況をパターン化した利用者対応日負荷パターンデータと、
クライアント端末より受信される日々の電力の使用状況を受信し、日負荷データベースに保存する日負荷データ保存手段と、
前記利用者対応日負荷パターンデータと、前記クライアント端末より受信して保存した日負荷データを比較して差分を抽出する日負荷パターン比較手段と、
前記抽出した差分と、予め定めた利用者対応日負荷差分閾値データとを比較して閾値を越えた場合に異常発生検出と判定する異常発生検出手段と、
前記異常発生が検出された時に、予め定めた宛先に通知する異常発生通知手段と、
を備えたことを特徴とする生活状況監視システム。
【請求項２】
過去の予め定めた期間の日負荷データの統計を取ることにより前記利用者対応日負荷パターンデータに補正を行って新たな利用者対応日負荷パターンデータを作成する日負荷パターン補正手段と、
を備えたことを特徴とする請求項１に記載の生活状況監視システム。
【請求項３】
前記異常発生通知手段は、利用者ごとに登録された宛先対応に、異常発生の通知を行うか否かの選択内容に従って異常発生通知を行うことを特徴とする請求項１または２に記載の生活状況監視システム。
【請求項４】
外部より通信ネットワークを介して特定のプロトコルを用いて情報の入力を行う外部情報入力手段と、
前記外部情報入力手段を用いて入力された監視の開始時刻および終了時刻を取得し保存する監視時間帯データベースとを備え、
前記日負荷パターン比較手段、異常発生検出手段、異常発生通知手段は、前記期間内のみ動作することを特徴とする請求項１ないし３のいずれか一に記載の生活状況監視システム。  
【請求項５】
利用者の日々のスケジュールを保存するスケジュールデータベースと、
外部より通信ネットワークを介して特定の通信プロトコルを用いて、利用者の日々のスケジュールを前記スケジュールデータベースに登録したり、編集したりするスケジュール登録編集手段と、
を備えたことを特徴とする請求項１ないし４のいずれか一に記載の生活状況監視システム。
【請求項６】
前記利用者の日々のスケジュールに登録した時刻になった時、もしくは登録した時刻になる前に警告通知を行う予定時刻警告手段と、
を備えたことを特徴とする請求項１ないし５のいずれか一に記載の生活状況監視システム。
【請求項７】
前記利用者の日々のスケジュールを保存するスケジュールデータベースは、登録する項目ごとに利用者の嗜好の度合いを示す嗜好情報を保存するエリアを含むことを特徴とする請求項１ないし６のいずれか一に記載の生活状況監視システム。
【請求項８】
電力を使用する装置に電源が投入された時に見られる突入電流のパターンを前記装置ごとに保存する突入電流パターンデータベースと、
前記日負荷データベースに保存している利用者の日負荷データの内容と前記突入電流パターンとを比較することで対応する装置の電源投入の時刻を特定する突入電流判定手段と、を備えたことを特徴とする請求項１ないし７のいずれか一に記載の生活状況監視システム。
【請求項９】
通信ネットワークを介して通信可能に構成されている生活状況を監視する生活状況監視装置であって、
利用者の日々の電力の使用状況をパターン化した利用者対応日負荷データと、
測定した日々の電力の使用状況を日負荷データベースに保存する日負荷データ保存手段と、
前記利用者対応日負荷データと、前記日負荷データを比較して差分を抽出する日負荷パターン比較手段と、
前記抽出した差分と、予め定めた利用者対応日負荷差分閾値データとを比較して閾値を越えた場合に異常発生検出と判定する異常発生検出手段と、
前記異常発生が検出された時に、予め定めた宛先に通知する異常発生通知手段と、
を備えたことを特徴とする生活状況監視装置。
【請求項１０】
過去の予め定めた期間の日負荷データの統計を取ることにより前記利用者対応日負荷パターンデータに補正を行って新たな利用者対応日負荷パターンデータを作成する日負荷パターン補正手段と、
を含むことを特徴とする請求項９に記載の生活状況監視装置。
【請求項１１】
電力を使用する装置に電源が投入された時に見られる突入電流のパターンを前記装置ごとに保存する突入電流パターンデータベースと、
前記日負荷データベースに保存している利用者の日負荷データの内容と前記突入電流パターンとを比較することで対応する装置の電源投入の時刻を特定する突入電流判定手段と、を備えたことを特徴とする請求項９または１０に記載の生活状況監視装置。
【請求項１２】
通信ネットワークを介して個人の生活状況を監視する生活状況監視サーバと、クライアント端末が通信可能に接続されている個人の生活状況監視を行う生活状況監視方法であって、
クライアント端末より受信される日々の電力の使用状況を受信し、日負荷データベースに保存する日負荷データ保存ステップと、
利用者の日々の電力の使用状況をパターン化した利用者対応日負荷データと、前記クライアント端末より受信して保存した日負荷データを比較して差分を抽出する日負荷パターン比較ステップと、
前記抽出した差分と、予め定めた利用者対応日負荷差分閾値データとを比較して閾値を越えた場合に異常発生検出と判定する異常発生検出ステップと、
前記異常発生が検出された時に、予め定めた宛先に通知する異常発生通知ステップと、
を含むことを特徴とする生活状況監視方法。
【請求項１３】
電力を使用する装置に電源が投入された時に見られる突入電流のパターンを前記装置ごとに保存する突入電流パターンデータベースを参照して、前記日負荷データベースに保存している利用者の日負荷データの内容と前記突入電流パターンとを比較することで対応する装置の電源投入の時刻を特定する突入電流判定ステップと、
を含むことを特長する請求項１２に記載の生活状況監視方法。
【請求項１４】
個人の生活状況の監視を行うコンピュータ上で動作するプログラムであって、
クライアント端末より受信される日々の電力の使用状況を受信し、日負荷データベースに保存する日負荷データ保存処理と、
利用者の日々の電力の使用状況をパターン化した利用者対応日負荷データと、前記クライアント端末より受信して保存した日負荷データを比較して差分を抽出する日負荷パターン比較処理と、
前記抽出した差分と、予め定めた利用者対応日負荷差分閾値データとを比較して閾値を越えた場合に異常発生検出と判定する異常発生検出処理と、
前記異常発生が検出された時に、予め定めた宛先に通知する異常発生通知処理と、
をコンピュータ上で動作させることを特徴とするス生活状況監視プログラム。
【発明の詳細な説明】
【技術分野】
【０００１】
本発明は、例えば独居老人などの利用者の日々の生活状況を監視し、異常を発見した時は、外部に通知を行う生活状況監視システム、装置、方法およびプログラムに関し、特に利用者の電力使用量の日負荷データを利用者のパターンと比較することで異常を発見すること、および様々に機器に電源を投入した際に現れる突入電流のパターンと日負荷データを比較することで利用者の行動を判定することを可能とする生活状況監視システム、装置、方法およびプログラムに関する。
【背景技術】
【０００２】
独居老人などの遠隔監視を電力の使用状況より判定を行う技術として従来は、図１に示すように、電力会社Ｆ１１には利用者の電力使用量などを含む利用者情報データベースＦ１４が存在し、利用者Ｆ１３が電力を消費する際には電力会社Ｆ１１から配電盤Ｆ１２を通して電力の供給が行われる。各利用者の電力の使用量は、担当者が利用者宅に出向かい計測してきた値を利用者データベースに取り込んで行っている。故に利用者ごとにリアルタイムな情報が収集されているわけではなく、利用者の生活状況としては過去の情報を知ることができるのみであり、緊急を要する異常事態発生には対応できていない。また日ごとに電力使用量の日負荷曲線が一定値を示した時に異常と判定することは可能ではあるが、判定が遅すぎるため有効ではなかった。
【０００３】
また、従来の電力使用量の監視として、特許文献１では、機器が使用する電流量を検知する装置と、それを応用し、機器の異常検知や寿命予測を行い機器の正常な利用に貢献するシステム、複数機器使用時に電力供給許容量を超過によるブレーカー遮断を未然に防ぐシステム、及び機器の利用状況異常を検知し対処するシステム等を提供する技術を提案している。
【特許文献１】特開平９−１４５７４３号公報
【発明の開示】
【発明が解決しようとする課題】
【０００４】
しかし従来行っている、日々担当者が手動で行う電力使用量の収集にてリアルタイムに電力使用量の異常を検出するのは人的資源に困難があり、非現実的である。
【０００５】
また、上記特許文献１で提案されている技術では、機器が使用する電流量を検知することで機器の異常などを検知することができるが、検知した内容を通信ネットワークを介して外部に通知したり、検知した内容を機器の突入電流と比較して機器の電源投入を特定したりすることは行っていない。
【０００６】
本発明は、上述のかかる事情に鑑みてなされたものであり、利用者宅にて電力使用量を計測しその内容を外部のサーバに通知し、外部のサーバが受信した電力使用量の遷移などの内容により異常を検知し、異常が発生したと判定できる場合は、予め定めた宛先に通知すること、さらに、受信した電力使用量により機器固有の突入電流のパターンを用いて機器の電源投入が行われた時刻などを特定することができる生活状況監視システム、装置、方法、およびプログラムを提供することを目的とする。
【課題を解決するための手段】
【０００７】
上記目的を達成するため、本発明に係わる生活状況監視システムは、通信ネットワークを介して個人の生活状況を監視する生活状況監視サーバとクライアント端末が通信可能に接続されている生活状況監視システムであって、利用者の日々の電力の使用状況をパターン化した利用者対応日負荷パターンデータと、クライアント端末より受信される日々の電力の使用状況を受信し、日負荷データベースに保存する日負荷データ保存手段と、前記利用者対応日負荷パターンデータと、前記クライアント端末より受信して保存した日負荷データを比較して差分を抽出する日負荷パターン比較手段と、前記抽出した差分と、予め定めた利用者対応日負荷差分閾値データとを比較して閾値を越えた場合に異常発生検出と判定する異常発生検出手段と、前記異常発生が検出された時に、予め定めた宛先に通知する異常発生通知手段と、を備えたことを特徴とする。
【０００８】
本発明では、生活状況監視サーバは、利用者の電力の使用状況をパターン化した利用者対応日負荷パターンデータと、利用者の生活に異常が発生したことを示す利用者対応日負荷差分閾値データとを有し、クライアント端末より受信する電力使用量の日負荷データと利用者対応日負荷パターンデータと比較してその差分を作成し、その差分が利用者対応日負荷差分閾値データを越えている場合は異常と判定し、外部に通知することができるので、利用者の家族などの関係者は安心して一人暮らしの支援ができる。
【０００９】
好ましくは、日負荷パターンデータは、過去の実績に基づき作成する、もしくは利用者対応に日々の生活に合わせ予め作成するように構成する。
【００１０】
本発明では、異常を判定するのに必要な日々の定常的な生活を示す日負荷パターンデータを、利用者の過去の実績もしくは、利用者の生活に合わせて予め作成することで、異常の検知に対応することができる。
【００１１】
さらに好ましくは、過去の予め定めた期間の日負荷データの統計を取ることにより前記利用者対応日負荷パターンデータに補正を行って新たな利用者対応日負荷パターンデータを作成する日負荷パターン補正手段とを備えるように構成するもの良い。
【００１２】
本発明では、時間を経るごとに変化する利用者の生活状況を踏まえて、利用者対応日負荷パターンデータを補正することができるので、常に現状の生活に近いパターンデータを用いて生活状況を判定することができ、正確性が高い。
【００１３】
また、異常発生通知手段は、利用者ごとに登録された宛先対応に、異常発生の通知を行うか否かの選択内容に従って異常発生通知を行うように構成するのも好ましい。
【００１４】
本発明では、異常が検出された時に、利用者の関係者に通知することができるので、利用者の家族などの関係者は安心することができる。
【００１５】
さらに、異常発生検出の通知は、電話、ＦＡＸ、電子メールの少なくとも一つを用いて行うように構成するのも好ましい。
【００１６】
本発明では、電話、ＦＡＸ、電子メールなどを用いて利用者に異常が発生したことを直ちに通知することができるので、素早く異常に対応することが可能となる。
【００１７】
好ましくは、外部より通信ネットワークを介して特定のプロトコルを用いて情報の入力を行う外部情報入力手段と、前記外部情報入力手段を用いて入力された監視の開始時刻および終了時刻を取得し保存する監視時間帯データベースとを備え、前記日負荷パターン比較手段、異常発生検出手段、異常発生通知手段は、前記期間内のみ動作するように構成する。
【００１８】
本発明では、外部より通信ネットワークを介してＨＴＴＰなどの特定のプロトコルを用いて情報の入力を行えるようにすることで外部より入力された内容をデータベースに取り込むことができ、監視の開始時刻・終了時刻を外部よりシステムに入力することができるので、利用者の関係者は、どこにいても利用者の生活状態を監視することができる利便性を享受することができる。
【００１９】
さらに好ましくは、利用者の日々のスケジュールを保存するスケジュールデータベースと、外部より通信ネットワークを介して特定の通信プロトコルを用いて、利用者の日々のスケジュールを前記スケジュールデータベースに登録したり、編集したりするスケジュール登録編集手段とを備えるように構成する。
【００２０】
本発明では、外部より通信ネットワークを介して利用者のスケジュール情報を入力したり、編集したりすることができるので、利用者に代わって遠方からでもスケジュールを登録することができるという利便性を利用者および利用者の関係者に与えることが可能となる。
【００２１】
また、利用者の日々のスケジュールに登録した時刻になった時、もしくは登録した時刻になる前に警告通知を行う予定時刻警告手段とを備えるように構成するのも好ましい。
【００２２】
本発明では、登録したスケジュールの時刻が近づいた時、もしくはまさにその時刻に利用者にアラームなどの警告を行うことができるので、利用者はスケジュール通りに行うべき、例えば薬の服用などの作業を正しく行うように支援することが可能となる。
【００２３】
さらに、利用者の日々のスケジュールを保存するスケジュールデータベースは、登録する項目ごとに利用者の嗜好の度合いを示す嗜好情報を保存するエリアを含むように構成するのも好ましい。
【００２４】
本発明によれば、嗜好の度合いを含めてスケジュールの登録を行うことができるので、登録された嗜好により警告の方法を変更するなどの利用者の嗜好に合わせた作業を行うことができる。また、嗜好の変化を検出することによって高齢者の異常の兆候を早期に発見することができる。
【００２５】
さらに好ましくは、電力を使用する装置に電源が投入された時に見られる突入電流のパターンを前記装置ごとに保存する突入電流パターンデータベースと、前記日負荷データベースに保存している利用者の日負荷データの内容と前記突入電流パターンとを比較することで対応する装置の電源投入の時刻を特定する突入電流判定手段とを備えるように構成する。
【００２６】
本発明によれば、突入電流のパターンを調べることで、利用者が行った電気機器の電源投入の状況が分かるので、利用者の生活パターンに沿った生活をしているか、または通常と異なる行動をしていないかどうかなどを外部より利用者の関係者などが判断することができる。
【００２７】
上記目的を達成するため、本発明に係わる生活状況監視装置は、通信ネットワークを介して通信可能に構成されている生活状況を監視する生活状況監視装置であって、利用者の日々の電力の使用状況をパターン化した利用者対応日負荷データと、測定した日々の電力の使用状況を日負荷データベースに保存する日負荷データ保存手段と、前記利用者対応日負荷データと、前記日負荷データを比較して差分を抽出する日負荷パターン比較手段と、
【００２８】
前記抽出した差分と、予め定めた利用者対応日負荷差分閾値データとを比較して閾値を越えた場合に異常発生検出と判定する異常発生検出手段と、前記異常発生が検出された時に、予め定めた宛先に通知する異常発生通知手段と、を備えたことを特徴とする。
【００２９】
さらに、過去の予め定めた期間の日負荷データの統計を取ることにより前記利用者対応日負荷パターンデータに補正を行って新たな利用者対応日負荷パターンデータを作成する日負荷パターン補正手段と、を含むように構成されるのも好ましい。
【００３０】
さらに好ましくは、電力を使用する装置に電源が投入された時に見られる突入電流のパターンを前記装置ごとに保存する突入電流パターンデータベースと、前記日負荷データベースに保存している利用者の日負荷データの内容と前記突入電流パターンとを比較することで対応する装置の電源投入の時刻を特定する突入電流判定手段と、を備えるように構成する。
【００３１】
上記目的を達成するため、本発明に係わる生活状況監視方法は、通信ネットワークを介して個人の生活状況を監視する生活状況監視サーバと、クライアント端末が通信可能に接続されている個人の生活状況監視を行う生活状況監視方法であって、クライアント端末より受信される日々の電力の使用状況を受信し、日負荷データベースに保存する日負荷データ保存ステップと、利用者の日々の電力の使用状況をパターン化した利用者対応日負荷データと、前記クライアント端末より受信して保存した日負荷データを比較して差分を抽出する日負荷パターン比較ステップと、前記抽出した差分と、予め定めた利用者対応日負荷差分閾値データとを比較して閾値を越えた場合に異常発生検出と判定する異常発生検出ステップと、前記異常発生が検出された時に、予め定めた宛先に通知する異常発生通知ステップと、を含むことを特徴とする。
【００３２】
好ましくは、電力を使用する装置に電源が投入された時に見られる突入電流のパターンを前記装置ごとに保存する突入電流パターンデータベースを参照して、前記日負荷データベースに保存している利用者の日負荷データの内容と前記突入電流パターンとを比較することで対応する装置の電源投入の時刻を特定する突入電流判定ステップと、を含むように構成する。
【００３３】
上記目的を達成するため、本発明に係わる生活状況監視プログラムは、個人の生活状況の監視を行うコンピュータ上で動作するプログラムであって、クライアント端末より受信される日々の電力の使用状況を受信し、日負荷データベースに保存する日負荷データ保存処理と、利用者の日々の電力の使用状況をパターン化した利用者対応日負荷データと、前記クライアント端末より受信して保存した日負荷データを比較して差分を抽出する日負荷パターン比較処理と、前記抽出した差分と、予め定めた利用者対応日負荷差分閾値データとを比較して閾値を越えた場合に異常発生検出と判定する異常発生検出処理と、前記異常発生が検出された時に、予め定めた宛先に通知する異常発生通知処理と、をコンピュータ上で動作させることを特徴とする。
【発明の効果】
【００３４】
本発明によれば、通信ネットワークを介して利用者の生活状況を外部より確認することができ、監視したい時間帯を指定しての監視ができ、利用者ごとの日負荷パターンデータと日々の日負荷データを比較することが異常を発見することができ、利用者のスケジュールを登録することができ、電源を投入した電化製品などを特定することができるので、利用者の家族などの関係者は安心して利用者の生活を見守ることができる。
【発明を実施するための最良の形態】
【００３５】
以下、本発明の実施の形態を説明する。図２に本発明の概略構成図を示す。図１の従来の構成に加えて通信ネットワーク４と、利用者の関係者Ｆ２１が追加されており、図１に利用者情報ＤＢであるＦ１４に替わって利用者情報ＤＢなどのＤＢであるＦ２２が電力会社Ｆ１１に設けられている。電力会社Ｆ１１、利用者Ｆ１３、利用者の関係者Ｆ２１は通信ネットワーク４を介して通信可能に接続されている。また利用者情報ＤＢなどのＤＢであるＦ２２には、利用者別の電力使用量、日負荷曲線データ、突入電流の推移などが保存される。
【００３６】
利用者Ｆ１３が使用する電力量は電力会社Ｆ１１から配電盤Ｆ１２を通して利用者Ｆ１３に給電され、利用者宅では電力使用量を例えば、リアルタイムに計測し通信ネットワーク４を介して電力会社Ｆ１１などに設置されるサーバなどに通知を行い、サーバは受信した利用者ごとの電力使用量を利用者情報ＤＢなどのＤＢであるＦ２２に保存する。さらに、例えば利用者の子供などの利用者の関係者Ｆ２１は通信ネットワーク４を介して利用者Ｆ１３の電力使用量の状況を監視したり、利用者Ｆ１３のスケジュールなどを書き込んだりすることができるように構成されている。
【００３７】
図３は、本発明の第１の実施の形態に係わる機器の接続構成とネットワーク構成、機器の概略構成を示す図である。本生活状況監視システム１は、通信ネットワーク４を介して利用者の生活状況の監視を行う生活状況監視サーバ２、本システムを利用する利用者宅に設置されるクライアント端末５および利用者の家族などの関係者などが利用する外部端末６が通信可能に接続されている。
【００３８】
利用者宅には、クライアント端末５と、電力使用量計測装置８が設置されており、電力使用量計測装置８がリアルタイムに取得した電力使用量はクライアント端末５に通知され、クライアント端末５が通信ネットワーク４を介して生活状況監視サーバ２に通知し、生活状況監視サーバ２が様々な機能を有して異常検出を行い、異常発生を通信ネットワーク４を介して予め定めた利用者の家族などの関係者になどの動作を行うものである。
【００３９】
図４に、本発明の第１の実施の形態に係わる生活状況監視システム１の機能ブロック図を示す。この図において、生活状況監視システム１は、個人またはグループなどの生活状況の監視などの運営を行っているケアーセンターなどの会社、利用者宅に電力を供給する電力会社またはサービス事業者などにより管理、運営される。
【００４０】
生活状況監視システム１は、通信ネットワーク４を介してデータの送受信を行うための送受信部１２、送受信部１２から受け取ったデータの処理、およびその他のさまざまな処理を行う中央演算処理部１３、データを記憶するための記憶部１４、および、中央演算処理部１３との間でデータの入出力を行う入力部１５と表示部１６から構成されている。入力部１５と表示部１６はマンマシンインタフェースの機能を有する部分である。送受信部１２は通信プロトコルの機能を有する部分である。
【００４１】
本実施の形態における生活状況監視システム１は、入力部１５および表示部１６を備えているが、本システムへの入出力は図示していないシリアル回線もしくは通信ネットワーク４を経由して外部から行われることも可能である。
【００４２】
さらに、中央演算処理部１３は、送受信部１２との間でデータの受け渡しを行う送受信処理手段（機能）１３１、入力部１５あるいは表示部１６とデータの受け渡しを行う入出力処理手段（機能）１３２、入出力処理手段（機能）１３２または送受信処理手段１３１を介して受信した利用者情報、閾値情報、宛先情報、突入電流パターンなどの情報を登録する情報登録手段（機能）１３３、利用者宅より通知される電力使用量を日負荷データベース（ＤＢ）１４３に保存する日負荷データ保存手段（機能）１３４、保存した利用者の電力使用量と利用者の日負荷パターンデータとを比較して差分を抽出する日負荷パターン比較手段（機能）１３５、利用者ごとに異なる電力使用量の日負荷パターンのデータを過去のデータを基にして補正を行う日負荷パターン補正手段（機能）１３６、抽出した日負荷パターンデータとの差分を利用者ごとの閾値情報を保存している利用者対応日負荷差分閾値データ１４４と比較して予め定めた閾値を越えた時に異常発生とみなす異常発生検出手段（機能）１３７、異常発生を検出した時に予め定めた宛先に異常が発生したことを通知する異常発生通知手段（機能）１３８、利用者の家族などが外部より通信ネットワーク４を介して利用者の状況を監視したい時間帯などを投入する際に情報入力を可能とする外部情報入力手段（機能）１３９、利用者のスケジュールを登録したり、修正したりする機能を有するスケジュール登録編集手段（機能）１３Ａ、スケジュールに登録した日時に成った時もしくは近づいた時に利用者に警告を発する予定時刻警告手段（機能）１３Ｂ、機器の電源を投入するに際して機器ごとに特徴のある電流のパターンを示す突入電流が日負荷データに見られるかを判定する突入電流判定手段（機能）１３Ｃから構成される。
【００４３】
また、記憶部１４は、本生活状況監視システム１を利用して生活状況の監視を行う対象である利用者の情報を保存する利用者情報データベース（ＤＢ）１４１、利用者の電力の使用パターンを保存する利用者対応日負荷パターンデータ１４２、日ごとの電力使用量の推移をデータとして保存する日負荷データベース（ＤＢ）１４３、利用者ごとの日負荷パターンデータと対象の日負荷データとの差分が閾値を越えた場合に異常発生とみなす場合の閾値を保存する利用者対応日負荷差分閾値データ１４４、利用者の家族などが監視したい期間として登録する監視期を保存する監視時間帯データベース（ＤＢ）１４５、利用者の家族などが登録する日々のスケジュールを利用者ごとに保存するスケジュールデータベース（ＤＢ）１４６、機器の電源を投入するに際して機器ごとに特徴のある電流のパターンを示す突入電流のパターンを保存する突入電流パターンデータベース（ＤＢ）１４７から構成されている。
【００４４】
クライアント端末５は、本生活状況監視システム１が行うサービスを利用する利用者の宅内に設置される端末である。クライアント端末５は、通信ネットワーク４を介して、データの送受信を行うための送受信部５２、送受信部５２からのデータの処理を行う図示していない中央演算処理部、中央演算処理部との間でデータの入出力を行う入力部５５と表示部５６、および電力の計測を行う電力使用量計測装置８とのインタフェース部分であり電力使用量計測装置８から計測した電力使用量を受信したり、電力使用量計測装置８に制御指令を出したりする電力制御部ＩＦである５７から構成されている。本実施の形態ではクライアント端末５と電力使用量計測装置８が別々に構成されているが、一体化して１つの装置として存在しても良い。
【００４５】
外部端末６は本生活状況監視システム１に通信ネットワーク４を介してアクセスして利用者のスケジュールを確認したり、スケジュールを登録・編集するために使用される端末であり、利用者の家族やスケジュールの確認を行ったりサポートしたりする支援会社などに設置されるパソコンなどの端末である。
【００４６】
外部端末６は、通信ネットワーク４を介して、データの送受信を行うための送受信部６２、送受信部６２からのデータの処理を行う中央演算処理部６３、中央演算処理部６３との間でデータの入出力を行う入力部６５、および表示部６６で構成されている。
【００４７】
通信ネットワーク４は、利用者が独自に敷設した専用の通信網または、通信事業者から借り受けた回線をある定めたＩＰプロトコルを用いてスケジュール管理サーバ２、クライアント端末５、外部端末６を接続する通信網である。例えば、ＡＤＳＬ（Asymmetric Digital Subscriber Line）、ＦＴＴＨ（Fiber To The Home）、ＣＡＴＶ（Community Antenna TeleVision）、広域ＬＡＮ（Local Area Network）、電力線搬送通信（Power Line Communications）などの回線を使用することが可能である。
【００４８】
図５は、本生活状況監視システム１を利用する利用者の各種情報を保存する利用者情報ＤＢ１４１のデータ構成例を示す。利用者情報ＤＢ１４１には、利用者ごとに「利用者ＩＤ」、「パスワード」、「氏名」、利用者の「住所」、「電話番号」、「電子メールアドレス」および「電力使用状況」、年齢や性別などの「属性情報」、外出好き嫌い／ＡＶ機器好き嫌い／冷暖房機器好き嫌い／ＴＶ番組好き嫌いなどの「嗜好情報」などが保存されている。
【００４９】
図６は、利用者対応日負荷パターンデータ１４２のデータ構成例である。利用者ごとに一日の時間帯を３０分ごとに分けた欄にパターンとしての適切な電力使用量などのデータが保存される。区切りは３０分ごと以外にも１０分。ごと、１時間ごとなどのように動作させる上で適切な値を特定して決定されても良い。また、各欄には電力の使用量のみではなく、使用の増加量をベクトルとして持たせても良い。
【００５０】
図７は、日負荷ＤＢ１４３のデータ構成例を示す。利用者ごとに、年月日ごとに利用者の電力使用量が３０分ごとに保存されている。
【００５１】
図８は、利用者対応日負荷差分閾値データ１４４のデータ構成例である。図８（１）は、システム全体として利用者に関係なく閾値を定めて登録する場合のデータ構成であり、図８（２）は、利用者ごとに閾値を定めた場合のデータ構成例である。本実施の形態では、日負荷パターンデータからの許容増減値を登録するように構成されている。日負荷パターンデータがベクトルで登録されている場合は、このデータもベクトルで登録されている。
【００５２】
図９は、監視時間帯ＤＢ１４５のデータ構成例を示す。利用者の家族などの関係者などから登録される利用者の監視を行う監視時間帯は、利用者ごと、および日ごとに、登録する時間を登録できるように構成されている。本実施の形態では、利用者「○○  一郎」の２００５年１２月１５日の監視時間帯は、「０７：００−０９：３０」、「１２：００−１４：００」、「１８：００−１９：３０」の３つの時間帯が登録されている。さらに登録した利用者の関係者の情報が登録されても良い。
【００５３】
図１０は、スケジュールＤＢ１４６のデータ構成例である。本実施の形態では、利用者ごと、１日を３０分ごとに区切った枠にその時間帯で行うべき内容が登録されている。例えば、利用者「○○  一郎」の２００５年１０月１５日の「１３：００−１３：３０」は「ウォーキング」が登録されている。
【００５４】
図１１は、突入電流パターンＤＢ１４７のデータ構成例である。機器ごとに突入電流のパターンが登録されている。本実施の形態では、機器が「炊飯器」の場合は、「パターンζ」であり、定常電流からのピーク値が、「定常電流からのピーク値＃４」であり、ピーク値の幅が、「ピーク値の幅＃４」であることが登録されている。
【００５５】
図１２は、利用者宅の」電量の使用に異常を検出した時に通知する宛先を保存する通知宛先のデータ構成例である。利用者ごとに複数の通知者を登録することができ、その各々の通知者ごとに、「お客様ＩＤ」、「氏名」、「住所」、「電話番号」、「ＦＡＸ番号」、「電子メールアドレス」、「パスワード」、「アンケート」、電話／ＦＡＸ／電子メールなどの「通知方法」が登録されている。
【００５６】
図１３は、利用者の一日の電力の使用量を示す日負荷曲線の例である。本実施の形態では１時間ごとにプロットしているが、３０分ごとや１０分ごとなどのように最適な値を決めて電力の使用量を収集しプロットしても良い。
【００５７】
第１の実施の形態における生活状況監視システム１は以上のように構成され、以下にその動作をフローチャートなどを用いて説明する。
【００５８】
［１．  情報の登録］
図１４は、生活状況監視システム１にて使用する情報を登録する「情報登録ルーチン」の動作の処理手順を示すフローチャートである。本動作は情報登録手段１３３が行う動作であり、以下図１４を用いて処理を説明する。利用者情報、閾値情報、宛先情報、突入電流パターンなどの情報の登録は、生活状況監視サーバ２の入力部１５および表示部１６に接続されているキーボードや画面を用いて直接登録を行う。
【００５９】
図示していないシリアル回線などを用いてパソコンを端末として使用して接続するか、社内のＬＡＮ（Local Area Network）や通信ネットワーク４を介して外部からネットワーク越しに接続してログインして設定を行ったりすることも可能である。ネットワークを経由して情報の設定を行う場合は、セキュリティを強化してＩＤおよびパスワードの送信およびデータの送受信情報を暗号化を行うことが望ましい。以下、生活状況監視サーバ２に直接つながっているキーボードを用いて登録を行う場合の処理手順について図１４を用いて説明する。
【００６０】
まず、キーボードを操作して本生活状況監視システム１（実際は生活状況監視サーバ２に接続される）に対してログイン要求を行う（Ｓ１４１ｂ）。生活状況監視サーバ２はログイン要求を受信し（Ｓ１４１ａ）、システムへログインするためのＩＤとパスワードの要求を行う（Ｓ１４２ａ）。ＩＤ／パスワードの要求は表示部１６を介してモニタ画面などに表示され（Ｓ１４２ｂ）、操作者が入力したＩＤ／パスワードの内容が生活状況監視サーバ２に通知され（Ｓ１４３ｂ）、生活状況監視サーバ２は情報を受信する（Ｓ１４３ａ）。
【００６１】
生活状況監視サーバ２は、利用者情報ＤＢ１４１内の利用者ＩＤとパスワード情報を取得し、受信したＩＤ／パスワードと合致しているかを判定する（Ｓ１４４ａ）。ＩＤ／パスワードが合致しない場合は、ステップＳ１４２ａに戻り再度上記処理を繰り返す。ＩＤ／パスワードが合致すると生活状況監視サーバ２は、作業の選択画面などを送信する（Ｓ１４５ａ）。本画面にて各種情報の登録を選択することができる。
【００６２】
操作者のモニタ画面には受信した選択画面が表示され（Ｓ１４４ｂ）、操作者が選択した内容として利用者情報、閾値情報、宛先情報、突入電流パターンなどのどれかの情報の登録作業を選択したことが通知される（Ｓ１４５ｂ）。要求を受信した（Ｓ１４６ａ）情報登録手段１３３は、前述の利用者情報、閾値情報、宛先情報、突入電流パターンに関連する情報などの入力画面を作成し、表示部１６を通して操作者が扱っている画面に表示させる（Ｓ１４７ａ）。
【００６３】
操作者は画面（Ｓ１４６ｂ）を見ながら利用者情報、閾値情報、宛先情報、突入電流パターンに関連する情報などをキーボードで入力する。入力された情報は入力部１５を介して情報登録手段１３３に通知される（Ｓ１４７ｂ）。情報登録手段１３３は、入力された（Ｓ１４８ａ）利用者情報、閾値情報、宛先情報、突入電流パターンに関連する情報などを、それぞれ、利用者情報ＤＢ１４１、宛先情報データ、利用者対応日負荷差分閾値データ１４４、突入電流パターンＤＢ１４７に登録する（Ｓ１４９ａ）。
【００６４】
次に情報登録手段１３３は、入力を継続するか終了するかを選択する画面を作成して画面に表示する（Ｓ１４Ａａ）。画面に表示された画面を見て（Ｓ１４８ｂ）、操作者が選択した内容が入力部１５より情報登録手段１３３に通知される（Ｓ１４９ｂ、Ｓ１４Ｂａ）。受信した内容を判定（Ｓ１４Ｃａ）して、終了が選択された場合は本ルーチンを終了する。継続が選択された場合（Ｓ１４Ｃａのｎｏのルート）は、ステップＳ１４７ａに戻り、処理終了が選択されるまで上記動作を繰り返す。
【００６５】
なお、本実施の形態においてはステップＳ１４Ａａにて入力を終了するか継続するかを判定するような構成になっているが、継続して行わなければならないような登録内容の時は上記のＳ１４Ａａ〜１４Ｃａに記載のステップの動作は行わず直ちにステップＳ１４７ａに戻って継続して入力情報を打ち込む画面を送信する動作を行う。また、入力する情報の登録が済んだ場合は、別の画面に遷移するなどその他の手順が行われても良い。
【００６６】
［２．  電力使用量の登録］
図１５は、利用者が使用している電力使用量を生活状況監視サーバ２が受信して日負荷ＤＢ１４３に保存する「日負荷データ保存ルーチン」が行う動作の処理手順を示すフローチャートである。本動作は、日負荷データ保存手段１３４が行う動作であり、以下図１５を用いて処理を説明する。
【００６７】
電力の使用量をリアルタイムに計測している電力使用量計測装置８から電力使用量を電力計測部ＩＦ５７から受信（Ｓ１５１ｂ）すると、クライアント端末５は、受信した電力使用量を生活状況監視サーバ２に送信する（Ｓ１５２ｂ）。生活状況監視サーバ２は情報を受信し（Ｓ１５１ａ）、その内容をチェックする（Ｓ１５２ａ）。チェックの結果に問題が有れば、エラーを通知し再送要求を行い（Ｓ１５４ａ）、処理を終了する。
【００６８】
エラーの通知を受信（Ｓ１５３ｂ）したクライアント端末５は、ステップＳ１５２ｂに戻り再度受信した電力使用量を送信する。受信したデータに問題が無かった場合は、受信成功通知を行い（Ｓ１５３ａ）、受信したデータを利用者の日負荷ＤＢ１４３に保存して（Ｓ１５５ａ）処理を終了する。
【００６９】
なお、本実施の形態では電力の使用量は周期的に取得し、その周期で受信したデータを送信しているが、受信したデータを一旦クライアント端末５に溜め込んでから、より長い周期で生活状況監視サーバ２に通知するというのも可能である。
【００７０】
［３．  日負荷データの比較］
図１６は、受信した利用者の電力使用量と利用者対応の日負荷パターンデータとを比較してその差分を抽出する「日負荷データ比較ルーチン」の動作の処理手順を示すフローチャートである。本動作は日負荷パターン比較手段１３５が行う動作であり、以下図１６を用いて処理を説明する。
【００７１】
まず、日負荷ＤＢ１４３より利用者の日負荷データを取得する（Ｓ１６１）。次に、利用者対応日負荷パターンデータ１４２より利用者のパターンデータを取得する（Ｓ１６２）。取得した上記値を比較し、その差分をバッファに出力し（Ｓ１６３）、現状使用している日負荷パターンデータの補正を行うため「日負荷パターン補正ルーチン」を起動する（Ｓ１６４）。次に全利用者の日負荷データを処理したかどうかを判定し（Ｓ１６５）、終了していない場合は、次の利用者を指定して（Ｓ１６６）、ステップＳ１６１に戻り上記動作を全ての利用者の分終了するまで繰り返し行う。
【００７２】
全ての利用者の処理を終了した後、利用者ごとに異常が発生していないかどうかを検出するため、「異常発生検出ルーチン」を起動する（Ｓ１６７）。「異常発生検出ルーチン」から戻ってきた後、利用者を指定して、異常が発生しているかを判定し（Ｓ１６８）、異常がない場合はステップＳ１６Ａに進む。異常が発生している場合は、予め定めた宛先に通知するために「異常発生通知ルーチン」を起動して（Ｓ１６９）ステップＳ１６Ａに進む。
【００７３】
次に、全ての利用者の処理が終了したかどうかを判定し（Ｓ１６Ａ）、終了していない場合は次の利用者を指定して（Ｓ１６Ｂ）、ステップＳ１６８に戻り、全ての利用者の処理が終了するまで上記処理を繰り返す。全利用者の処理が終了した場合は処理を終了する（Ｓ１６Ａのｙｅｓのルート）。
【００７４】
［４．  利用者対応日負荷パターンデータの補正］
図１７は、過去の予め定めた期間の日負荷データの統計を取ることにより前記利用者対応日負荷パターンデータに補正を行って新たな利用者対応日負荷パターンデータを作成する「日負荷パターン補正ルーチン」の動作の処理手順を示すフローチャートである。本動作は日負荷パターン補正手段１３６が行う動作であり、以下図１７を用いて処理を説明する。
【００７５】
まず、単位時間の過去のデータを集計し平均を出すように、データを加算し（Ｓ１７１）、予め定めた全ての過去のデータに対して上記加算処理を行う（Ｓ１７２、Ｓ１７３）。次に、対象となる全てのデータの平均値を演算し、算出対象の単位時間の新たなパターンデータとして利用者対応日負荷パターンデータ１４２に登録する。上記動作を１日分の全ての単位時間に対して処理を行い、利用者対応日負荷パターンデータ１４２をアップデートする。本処理は全ての利用者に対して行われる（Ｓ１６４）。
【００７６】
なお、本実施の形態では、利用者の電力の日負荷データを求める時は常に行うことになるが、例えば、１０回に１回おこなうなどのように処理しても良い。
【００７７】
［５．  異常発生の検出］
図１８は、利用者ごとに電力の使用量に異常が発生していないかどうかを検出する「異常発生検出ルーチン」の動作の処理手順を示すフローチャートである。本動作は異常発生検出手段１３７が行う動作であり、以下図１８を用いて処理を説明する。
【００７８】
まず、バッファに保存された差分と、利用者対応日負荷差分閾値データ１４４とを比較する（Ｓ１８１）。閾値を越えたかどうかを判定し（Ｓ１８２）、閾値を越えていない場合は何もせずにステップＳ１８４へ進み、閾値を越えている場合は、バッファに閾値を超えた利用者ＩＤを出力（Ｓ１８３）してステップＳ１８４に進む。次に全ての利用者の処理を終了したかどうかを判定し（Ｓ１８４）、終了していない場合は、次の利用者を指定してステップＳ１８１に戻り、全ての利用者の処理が終了するまで上記処理を繰り返す。全ての利商社の処理が終了した場合（Ｓ１８４のｙｅｓのルート）は、処理を終了する。
【００７９】
［６．  異常発生の通知］
図１９は、利用者の電力使用量に異常を検出した場合に予め登録されている宛先に予め登録された方法にて通知する「異常発生通知ルーチン」の動作の処理手順を示すフローチャートである。本動作は異常発生通知手段１３８が行う動作であり、以下図１９を用いて処理を説明する。
【００８０】
まず利用者対応に登録されている宛先の通知方法を図１２に示す宛先情報から取得し（Ｓ１９１）、処理を行っている対象の通知宛先が登録している監視の開始時刻および終了時刻内であり且つ通知することを選択しているか判定し（Ｓ１９２）、監視時間帯内でなければ処理を終了し、監視時間帯内で且つ通知を選択している場合はステップＳ１９３へ進む。次に通知の方法により分岐する（Ｓ１９３）。本実施の形態では通知方法として、「電話」、「ＦＡＸ」による通知、「電子メール」による通知、「ＷＥＢ通知」による通知の４種類が登録されている。まず「電話」で通知する場合は、電力の使用量がパターンから外れ異常値を示したことを通知する音声ファイルを作成し（Ｓ１９４）、取得した宛先に電話し、宛先が応答時、作成した音声情報を流し（Ｓ１９５）、ステップＳ１９６に進む。
【００８１】
「ＦＡＸ」にて通知する場合は、電力の使用量が異常値を示していることを示す文書作成し（Ｓ１９８）、その他の必要なＦＡＸ情報を作成し（Ｓ１９９）、取得した宛先であるＦＡＸの電話番号に電話し、宛先が応答時、作成したＦＡＸ情報をＦＡＸプロトコルで送信し（Ｓ１９Ａ）、ステップＳ１９６に進む。「電子メール」で通知する場合は、電力の使用量が異常値を示していることを示す文を作成し（Ｓ１９Ｂ）、取得した宛先に作成したファイルをメールに添付して送信する（Ｓ１９Ｃ）。
【００８２】
「ＷＥＢ通知」の場合は、電力の使用量が異常値を示していることを示す文書を作成し、そのファイルをＵＲＬにて参照可能な場所に配置し（Ｓ１９Ｄ）、取得した電子メールアドレスに作成したファイルを参照可能なＵＲＬをメールに含めて送信（Ｓ１９Ｅ）することで通知し、ステップＳ１９６に進む。
【００８３】
次にステップＳ１９６では、利用者の全宛先の処理を終了したかを判定し、終了していない場合は次の宛先を指定してステップＳ１９１へ戻り、全ての宛先の処理が終了するまで上記処理を繰り返す。全ての宛先の処理が終了した場合は（Ｓ１９６のｙｅｓのルート）、処理を終了する。
【００８４】
なお、ステップＳ１９２において、監視時間帯内であるかどうかを直ちに判定しているが、先ず対象の通知宛先が監視の登録を行っているかどうかを判定した後に、登録を行っている場合は次に監視時間帯内であるかを判定するという処理でも良い。また、異常が発生していない時は、異常は発生していない旨の通知を行う。
【００８５】
［７．  監視時間帯の登録］
図２０は、外部より通信ネットワークを介して特定のプロトコルを用いて情報の入力を行う「外部情報入力ルーチン」の動作の処理手順を示すフローチャートである。本動作は、外部情報入力手段１３９が行う動作であり、以下図２０を用いて処理を説明する。
【００８６】
まず、ＨＴＴＰなどの特定の通信プロトコルを起動して通信が行えるようにする（Ｓ２０１ａ）。次に、クライアント端末６はＨＴＴＰなどの特定プロトコルを用いてＵＲＬなどを指定してアクセスする（Ｓ２０１ｂ）。アクセスを受けた（Ｓ２０２ａ）生活状況監視サーバ２は、利用者単位に、日時の開始と終了を指定する画面を作成し送信する（Ｓ２０３ａ）。外部端末６は受信した内容を画面表示（Ｓ２０２ｂ）するなどして、利用者の家族などの操作者が入力した開始・終了時刻などを通知する（Ｓ２０３ｂ）。
【００８７】
開始・終了の時刻を受信した（Ｓ２０４ａ）生活状況監視サーバ２は、取得した監視を行う日時の開始と終了を利用者単位に保存し（Ｓ２０５ａ）、受信が正常に行われデータが正常に書き込まれたことを示す「受信ＯＫ」メッセージを送信する（Ｓ２０６ａ）。「受信ＯＫ」を受信した外部端末６はデータが正常に登録されたことを示す画面表示などを行う（Ｓ２０４ｂ）。
【００８８】
なお、本実施の形態では受信データのエラーチェックを行う処理の記載は省力しているが、受信データのエラーチェックは行われ、受信データにエラーが生じた場合は再送要求が行われる。また、上記ＵＲＬのアクセスした際にはＩＤおよびパスワードの入力などが求められ、例えば図１２に示すＩＤとパスワードを入力することでアクセス可能に成るものとする。
【００８９】
［８．  利用者のスケジュールの登録および編集］
図２１は、外部より通信ネットワークを介して特定の通信プロトコルを用いて、利用者の日々のスケジュールをスケジュールＤＢ１４６に登録したり、編集したりする「スケジュール登録編集ルーチン」の動作の処理手順を示すフローチャートである。本動作は、スケジュール登録編集手段１３Ａが行う動作であり、以下図２１を用いて処理を説明する。本実施の形態では特定の通信プロトコルとしてＨＴＴＰを用いている。
【００９０】
まず、通信プロトコルとしてＨＴＴＰを用いてスケジュールの登録・編集を行うＵＲＬを指定して生活状況監視サーバ２にアクセスする（Ｓ２１１ｂ）。アクセスを受けた（Ｓ２１１ａ）生活状況監視サーバ２は、ログイン画面および利用者選択画面など送信する（Ｓ２１２ａ）。画面情報を受信した（Ｓ２１２ｂ）外部端末６は、利用者の家族などの操作者が入力したＩＤおよびパスワードなどと送信する（Ｓ２１３ｂ）。ＩＤ、パスワードなどの情報を受信した生活状況監視サーバ２は内容をチェックし（Ｓ２１４ａ）、エラーがあった場合は、エラー通知を行い（Ｓ２１９ａ）、ステップＳ２１２ａへ戻る。エラー通知を受信した外部端末６は、エラー表示を行い（Ｓ２１４ｂ）、ステップＳ２１２ｂへ戻る。
【００９１】
エラーが無かった場合（Ｓ２１４ａのｙｅｓのルート）は、利用者のスケジュールと登録・編集することができるスケジュール登録画面を送信する（Ｓ２１５ａ）。画面情報を受信した外部端末は画面表示を行い（Ｓ２１５ｂ）、操作者が入力した内容を生活状況監視サーバ２に送信する（Ｓ２１６ｂ）。操作者が入力した内容を受信した生活状況監視サーバ２は、受信した内容をスケジュールＤＢに登録し（Ｓ２１７ａ）、スケジュールが正常に登録されたことを通知して（Ｓ２１８ａ）処理を終了する。正常に登録されたことを受信した外部端末６は画面上に成功したことを表示（Ｓ２１７ｂ）して処理を終了する。
【００９２】
なお、本実施の形態において、ステップＳ２１６ａ、Ｓ２１７ａにて受信した内容の正常性についてチェックを行う処理を省力しているが、チェックは行われ正常でない場合は外部端末６にエラー通知を行い再度正しい値を入力するように促すように動作するものである。また、本実施の形態の場合は利用者の関係者として通知宛先を特定することができるので、利用者の家族が生活状況監視システム１にログインする際のＩＤおよびパスワードは、図１２に示す通知宛先と同じような内容であるものとする。但し、通知宛先は利用者の関係者のみではなく、主治医やケアーセンターの担当者などであっても良い。
【００９３】
［９．  予定時刻の警告］
図２２は、利用者の日々のスケジュールに登録した時刻になった時、もしくはなる前に警告通知を行う「予定時刻警告ルーチン」の動作の処理手順を示すフローチャートである。本動作は予定時刻警告手段１３Ｂが行う動作であり、以下図２２を用いて処理を説明する。「予定時刻警告ルーチン」は時間単位で動作する必要があるため周期的に起動される。
【００９４】
まず、起動された時に利用者の予定されているスケジュールが有るか判定する（Ｓ２２１）。予定されているスケジュールが無い場合はステップＳ２２４へ進む。予定が有った場合は、予定の内容を取得し（Ｓ２２２）、利用者に通知するために「警告ルーチン」を起動し（Ｓ２２３）、ステップＳ２２４へ進む。ステップＳ２２４では、全ての利用者の処理が終了したかを判定し、終了していない場合は、次の利用者を指定して（Ｓ２２５）、ステップＳ２２１へ戻り、全ての利用者の処理が終了するまで上記動作を繰り返す。全ての利用者の処理が終了した場合は、次の周期までスリープする（Ｓ２２６）。
【００９５】
「警告」ルーチンについては、フローチャートは示していないが、利用者宅にあるクライアント端末５の画面やスピーカもしくは、シリアル回線などに接続されている警報装置などを起動することで警告を与えることが可能である。さらに、図１８に示すように、利用者が所有している携帯電話機などへ電子メールへの通知や、電話への自動発信にて通知することも可能である。
【００９６】
［１０．  突入電流の判定］
図２３は、日負荷データベースに保存している利用者の日負荷データの内容と前記突入電流パターンとを比較することで対応する装置の電源投入の時刻を特定する「突入電流判定ルーチン」の動作の処理手順を示すフローチャートである。本動作は突入電流判定手段１３Ｃが行う動作であり、以下図２３を用いて処理を説明する。
【００９７】
まず、周期的に電力の使用状況を監視している電力使用量計測装置８が消費電流に大きな変化を検出した時（Ｓ２３１ｃ）、消費電流に大きな変化が発生したことを割込み処理などで通知して（Ｓ２３２ｃ）処理を終了する。情報を受信したクライアント端末５は、受信した消費電流のデータを生活状況監視サーバ２送信して（Ｓ２３１ｂ）処理を終了する。前述のように大きな変化が発生した時に割込みなどでクライアント端末５に通知する他にも、クライアント端末５への通常の周期にて通知するようにしても良い。
【００９８】
消費電流のデータを受信した（Ｓ２３１ａ）生活状況監視サーバ２は、まず全ての機器の比較処理が終了したかどうか判定する（Ｓ２３２ａ）。終了した場合（Ｓ２３２ａのｙｅｓのルート）は何もせずに処理を終了する。全ての機器の比較処理が終了していない場合は、突入電流パターンＤＢ１４７を用いて受信データを判定機器を判定し（Ｓ２３３ａ、Ｓ２３４ａ）、合致しない場合は次の機器を指定して（Ｓ２３５ａ）、ステップＳ２３２ａへ戻り、全ての機器の比較処理が終了するまで上記動作を繰り返す。合致した場合は、合致した機器を出力し（Ｓ２３６ａ）処理を終了する。その後、出力された機器の情報などを通知先に通知するなどの処理が行われる。
【００９９】
合致するとは、計測している時の定常電流値からのピーク値とその幅を計測して、それらの値が図１１に示す機器の突入電流のピーク値と幅とを満足する場合はその機器に合致するものと判断するものである。
【０１００】
上記動作により、電力使用量計測装置８が消費電流に変化を検出した際には、クライアント端末５に通知し、クライアント端末５は受信した情報を生活状況監視サーバ２に通知することで、機器が接続されたことによる突入電流を検出することができる。本実施の形態において、炊飯器の電源を投入するもしくは好きなテレビ番組を見るためにテレビの電源を投入するなどの利用者が定常的に行う動作を、監視時間帯内に登録しておき、上記機器の電源投入時に検出される突入電流の有無を判定することで、利用者に異常が発生したかどうかの兆候を知ることができ、通知宛先に通知することができる。通知宛先側では、利用者が通常行っている電源投入の動作が行われていなければ異常が発生したと判断し、電話するなどの対応策をとることができる。
本発明による第１の実施の形態は以上のように構成され動作する。
【０１０１】
本発明によれば、例えば一人暮らしの高齢者の生活状況を、電力の使用状況にて判定することが可能となり、異常が発生していることを判定した場合は、予め定めた宛先に通知したり、異常が発生していることの判定基準を変更したりできるように構成することで柔軟に利用者一人ひとりに対応することができ、利用者が電源投入した機器の特定を突入電流の特定パターンを使用することで推定することができるので、利用者の家族などの関係者は安心して一人暮らしの高齢者などの家族の生活を確認しながら支援を行うことが可能となる。
【０１０２】
例えば一人暮らしの独居老人が体調を崩して寝込んだりした場合は、その寝込んだ時から電力使用量のパターンがずれ、また食事を行うのに常に決まった時間に炊飯器の電源投入を行っている場合などは、常に見られる突入電流のパターンが見られないなどにて異常を発見することができ、直ぐに連絡がつくような携帯電話や携帯電話のメールアドレスなどの通知宛先に通知を行うことで対応を迅速に行うことが可能となる。
【０１０３】
次に第２の実施の形態について以下に説明する。図２４は、第２の実施の形態である生活状況監視装置７の機能ブロック図を示している。本実施の形態では、利用者宅に生活状況監視装置７を設置して生活状況監視装置７の中に第１の実施の形態において説明した全ての機能を内蔵しており、その部分が第１の実施の形態と異なる。本実施の形態は第１の実施の形態のクライアント端末５が第１に実施の形態の生活状況管理サーバの機能を持つことと同じである。
【０１０４】
第１の実施の形態と異なるのは、生活状況監視装置にログインするのは利用者、システム管理者、利用者の関係者などのみであるので、利用者情報ＤＢ７４１に登録されている内容が少なくなり、利用者対応日負荷パターンデータ７４２、日負荷ＤＢ７４３、監視時間帯ＤＢ７４５、スケジュールＤＢ７４６なども利用者個人のものだけで足りる。また、各種手段においても、利用者数分の検索などの処理が不要であるなどの部分が異なるところである。
【０１０５】
また、第１および第２の実施の形態を併せ持って、利用者宅には第２の実施の形態に示す生活状況監視装置を設置し、電力会社などにも生活状況監視装置サーバを設置し、生活状況監視装置サーバの動作に不具合を検知した場合は、生活状況監視装置は単独で動作するということも可能である。この場合は、生活状況監視装置内に単独モードと共同動作モードなどの動作モードを設け、生活状況監視装置と生活状況監視サーバが有する各種データベースの整合性を保つ機能を設けることで実現できる。
本発明による第２の実施の形態は以上のように構成され動作する。
【０１０６】
本実施の形態によれば、利用者宅にて生活状況監視装置単独で第１の実施の形態と同様なことができるので、第１の実施の形態における中央の生活状況監視サーバが動作不能に陥った場合でも動作可能である。
【図面の簡単な説明】
【０１０７】
【図１】従来の利用者の電力使用量の取得を行う際の構成図である。
【図２】本発明の第１の実施の形態に係わる生活状況監視システムの概念図である。
【図３】本発明の第１の実施の形態に係わる生活状況監視システムのネットワーク構成の概略図である。
【図４】本発明の第１の実施の形態に係わる生活状況監視システムのスケジュール管理サーバ、クライアント端末、外部端末の機能ブロック図である。
【図５】図４および図２４の利用者情報ＤＢのデータ構成例である。
【図６】図４および図２４の利用者対応日負荷パターンデータのデータ構成例である。
【図７】図４および図２４の日負荷ＤＢのデータ構成例である。
【図８】図４および図２４の利用者対応日負荷差分閾値データの構成例である。
【図９】図４および図２４の監視時間帯ＤＢのデータ構成例である。
【図１０】図４および図２４のスケジュールＤＢのデータ構成例である。
【図１１】図４および図２４の突入電流パターンＤＢのデータ構成例である。
【図１２】本発明の第１の実施の形態における通知宛先のデータ構成例である。
【図１３】本発明の第１の実施の形態における電力使用量の日負荷曲線の例である。
【図１４】図４および図２４の情報登録手段が行う動作の処理手順を示すフローチャートである。
【図１５】図４および図２４の日負荷データ保存手段が行う動作の処理手順を示すフローチャートである。
【図１６】図４および図２４の日負荷パターン比較手段が行う動作の処理手順を示すフローチャートである。
【図１７】図４および図２４の日負荷パターン補正手段が行う動作の処理手順を示すフローチャートである。
【図１８】図４および図２４の異常発生検出手段が行う動作の処理手順を示すフローチャートである。
【図１９】図４および図２４の異常発生通知手段が行う動作の処理手順を示すフローチャートである。
【図２０】図４および図２４の外部情報入力手段が行う動作の処理手順を示すフローチャートである。
【図２１】図４および図２４のスケジュール登録編集手段が行う動作の処理手順を示すフローチャートである。
【図２２】図４および図２４の予定時刻警告手段が行う動作の処理手順を示すフローチャートである。
【図２３】図４および図２４の突入電流判定手段が行う動作の処理手順を示すフローチャートである。
【図２４】本発明の第２の実施の形態に係わる生活状況監視装置の機能ブロック図である。
【符号の説明】
【０１０８】
１  生活状況監視システム
４  通信ネットワーク
５  クライアント端末
６  外部端末
７  生活状況監視装置
８  電力使用量計測装置
１２、５２、６２、７２  送受信部
１３、５３、６３、７３  中央演算処理部
１４、７４  記憶部
１５、５５、６５、７５  入力部
１６、５６、６６、７６  表示部
１３１、７３１  送受信処理手段
１３２、７３２  入出力処理手段
１３３、７３３  情報登録手段
１３４、７３４  日負荷データ保存手段
１３５、７３５  日負荷パターン比較手段
１３６、７３６  日負荷パターン補正手段
１３７、７３７  異常発生検出手段
１３８、７３８  異常発生通知手段
１３９、７３９  外部情報入力手段
１３Ａ、７３Ａ  スケジュール登録編集手段
１３Ｂ、７３Ｂ  予定時刻警告手段
１３Ｃ、７３Ｃ  突入電流判定手段
１４１、７４１  利用者情報（データベース）ＤＢ
１４２、７４２  利用者対応日負荷パターンデータ
１４３、７４３  日負荷（データベース）ＤＢ
１４４、７４４  利用者対応日負荷差分閾値データ
１４５、７４５  監視時間帯（データベース）ＤＢ
１４６、７４６  スケジュール（データベース）ＤＢ
１４７、７４７  突入電流パターン（データベース）ＤＢ
５７  電力計測部ＩＦ
【図１】
2007183890.tif 000003
【図２】
2007183890.tif 000004
【図３】
2007183890.tif 000005
【図４】
2007183890.tif 000006
【図５】
2007183890.tif 000007
【図６】
2007183890.tif 000008
【図７】
2007183890.tif 000009
【図８】
2007183890.tif 000010
【図９】
2007183890.tif 000011
【図１０】
2007183890.tif 000012
【図１１】
2007183890.tif 000013
【図１２】
2007183890.tif 000014
【図１３】
2007183890.tif 000015
【図１４】
2007183890.tif 000016
【図１５】
2007183890.tif 000017
【図１６】
2007183890.tif 000018
【図１７】
2007183890.tif 000019
【図１８】
2007183890.tif 000020
【図１９】
2007183890.tif 000021
【図２０】
2007183890.tif 000022
【図２１】
2007183890.tif 000023
【図２２】
2007183890.tif 000024
【図２３】
2007183890.tif 000025
【図２４】
2007183890.tif 000026